(57)【特許請求の範囲】
【請求項１】
中心に楕円形の凹部を有し、この凹部から外方に向って順次せり上る周辺部を有する枕本体と、この枕本体に設けた外縁に向って傾斜する首当部を有する補助枕本体とで構成する表面を布地で被った枕であって、
前記枕本体の凹部と周辺部との境目近傍に対の空気孔を形成し、この対の空気孔が人の耳近傍に位置する構成とし、
かつ前記枕本体と補助枕本体との境目と、この枕本体の後端との高さを、境目＞後端として、頭部を、前記凹部へのセットの容易化、又は頭の安定設置と、ズレ止めが図れることを特徴とした枕。
【請求項２】
中心に楕円形の凹部を有し、この凹部から外方に向って順次せり上る周辺部を有する枕本体と、この枕本体に設けた外縁に向って傾斜する首当部を有する補助枕本体とで構成する表面を布地で被った枕であって、
前記枕本体の凹部と周辺部との境目近傍に対の空気孔を形成し、この対の空気孔が人の耳近傍に位置し、また前記布地の周辺の適所に開閉部を設ける構成とし、
かつ前記枕本体と補助枕本体との境目と、この枕本体の後端との高さを、境目＞後端として、頭部を、前記凹部へのセットの容易化、又は頭の安定設置と、ズレ止めが図れることを特徴とした枕。
【請求項３】
上記の枕本体の長手方向の両側端から上記の凹部に向かって順次低く構成した請求項１、請求項２の枕。
【発明の詳細な説明】
【０００１】
【発明の属する技術分野】
本発明は、健康維持、頸椎の矯正又は治療用として役立つ枕に関する。
【０００２】
【従来の技術】
従来、涼感性、快適性等を意図する枕は種々提案されており、その一部は市場に出回っている。この市販の枕等は、それなりの成果があると考えられている。しかし、この成果も一面的なものであって、今だ十分満足するに到っていない。例えば、頸椎を自然の状態に保ち、この頸椎への負担軽減を図ることで、種々の弊害を和らげる枕は、今だ販売等されていないのが現況である。この理由の一例は、首の痛みや肩こりの原因が、頸椎への負担による血行不良によるものであるという理学的な知識が、今だ理解されていなかったことと想定できる。何故ならば、近時、首の痛みや肩こりの原因が、頸椎への負担による血行不良によるものであるということが、医療関係から発表されている状況からも推測できる。
【０００３】
理学的見地を考慮した上で、老化に伴う椎間板の後部突出を、痛みを緩和しながら頸椎を自然の状態に戻す（矯正）ことが必要となる。この矯正を、枕を利用して行う考えはなかった。また一方、枕の作製段階において、就寝中の頸椎への負担軽減及ビ頸椎を自然の状態に保つ点に注目して工夫された構造はなかった。さらに市販の枕は、枕の高低差等による頭部の不安定載置に起因する弊害、例えば、頸椎の後部への圧迫による血行不良、就寝中の不自然な状態における人体に与える悪影響等を配慮したものではなかった。
【０００４】
この改良として、本出願人は、実用新案登録第３０４０５２２号の変形型枕を提案する。その内容は、軟質性充填材を充填した主充填室と植物性充填材及ビ硬質性充填材を充填した副充填室とに区画された凹部を有する枕本体であって、この枕本体の一辺に頸椎当て用の突出部を設ける構成としたことを特徴とする変形型枕である。その特徴は、頸椎を自然の状態に保ち、この頸椎への負担軽減を図り、かつ快適な睡眠を達成すること、各充填材の物性及ビこの各充填材の区分（区画）・充填等を図り、頭及ビ頸椎の安定載置が図れること、等にある。
【０００５】
【発明が解決しようとする課題】
前記文献は、本出願人の会社が通販を介して現実に市販しており、大変に好評を得ているとともに、一部の使用者から、健康維持、頭及ビ頸椎の矯正等に役立っているとの連絡を受けている。上記に鑑み、本出願人はさらに前記特徴を発揮するためと、使用に便利で、他の機能、例えば、涼風感、柔軟性、高低調整が図れる枕を提供する。
【０００６】
【課題を解決するための手段】
請求項１の発明は、老化に伴う椎間板の後部突出を、痛みを緩和しながら頸椎を自然の状態に戻す（矯正）こと、また前記矯正用の枕として、使用が便利で、かつ低コストに提供できること、等を意図する。
【０００７】
請求項１は、中心に楕円形の凹部を有し、この凹部から外方に向って順次せり上る周辺部を有する枕本体と、この枕本体に設けた外縁に向って傾斜する首当部を有する補助枕本体とで構成する表面を布地で被った枕であって、
前記枕本体の凹部と周辺部との境目近傍に対の空気孔を形成し、この対の空気孔が人の耳近傍に位置する構成とし、
かつ前記枕本体と補助枕本体との境目と、この枕本体の後端との高さを、境目＞後端として、頭部を、前記凹部へのセットの容易化、又は頭の安定設置と、ズレ止めが図れることを特徴とした枕である。
【０００８】
請求項２の発明は、請求項１の発明の目的の他に、枕の高低差等による頭部の不安定載置に起因する弊害、例えば、頸椎の後部への圧迫による血行不良、就寝中の不自然な状態における人体に与える悪影響等を回避することを意図する。
【０００９】
請求項２は、中心に楕円形の凹部を有し、この凹部から外方に向って順次せり上る周辺部を有する枕本体と、この枕本体に設けた外縁に向って傾斜する首当部を有する補助枕本体とで構成する表面を布地で被った枕であって、
前記枕本体の凹部と周辺部との境目近傍に対の空気孔を形成し、この対の空気孔が人の耳近傍に位置し、また前記布地の周辺の適所に開閉部を設ける構成とし、
かつ前記枕本体と補助枕本体との境目と、この枕本体の後端との高さを、境目＞後端として、頭部を、前記凹部へのセットの容易化、又は頭の安定設置と、ズレ止めが図れることを特徴とした枕である。
【００１０】
【００１１】
【００１２】
請求項４の発明は、枕本体に設けた凹部に向かって外周縁部を窪ませる形状として、頭の安定設置と、ズレ止めを図ることを意図する。
【００１３】
請求項４は、上記の枕本体の長手方向の両側端から上記の凹部に向かって順次低く構成した請求項１、請求項２の枕である。
【００１４】
【発明の実施の形態】
本発明は、図６、図７に示す如く、枕本体の任意の一辺に形成される略三角形状の突出部を、頸椎に当てるように使用する。即ち、仰向けになった状態で、その後頭部を枕本体の凹部に当接し、この首から頭全体を一度大きく後方に反らせるような所作をする。この所作により頸椎は、確実に伸ばされるので、この際に、当該頸椎が補助枕本体に位置するように、体の位置及ビ枕の位置・方向等を調整する。
【００１５】
この調整により、首から背中まで支えるとともに、就寝中に頸椎は最も自然な状態に保たれる。従って、頸椎への余分な負荷又は負担を解消できる。殊に、頸椎の最良の状態を持続させることができる。また、この突出部が頸椎及ビ肩部から背中の窪みにかけて支える形は、身体の緊張を和らげるとともに、正しい姿勢による心地よさが確保され、しかも爽快な眠りを誘うという副次的な効果を有する。
【００１６】
尚、図示の如く、枕本体と補助枕本体との境を頂点として、凹部を経由して後端に向かって順次低くする構成を採用することで、首及ビ／又は頸椎に対する刺激、指圧効果、又は引伸ばし感覚の確保が図れること、又はむち打ち、頭痛、肩こり等の疾病にも効果が期待できると考えられること、等の実益がある。
【００１７】
そして、本発明では、前記枕本体の凹部と周辺部との境目近傍に対の空気孔を形成し、この対の空気孔が人の耳近傍に位置する構造を採用し、涼風感覚を満喫できる。殊に、冷気を感ジ易い、耳元に風を送ることで、効果抜群である。
【００１８】
さらに本発明では、枕本体（布地）の周辺の適所に開閉部を設ける構造を採用し、好みの高さを確保できるので、前述の効果を確実に達成できることと、各人の好みの枕を提供できること、又は疾患者、患者、障害者等に対応した枕の提供と、リハビリ用としての役割も考えられること、等の実益がある。
【００１９】
【実施例】
以下、本考案の一実施例を図面を参照に説明する。
【００２０】
図１〜図４において、１は枕本体で、この枕本体１の中央部に楕円形、又は略円形状を呈する凹部２が形成し、この凹部２から周辺部３に向かってせり上がる構造である。４は頸椎当て用として役立つ略三角形状の首当部４０を有する補助枕本体で、枕本体１の任意の一辺に形成される。また枕本体１には、側端１０、１１に開口１２する空気孔１３を設け、この開口１２及ビ空気孔１３を利用して、人Ｈの頭部Ｈ１（耳の近傍）等への空気を送り、涼風感覚を作る。前記枕本体１と補助枕本体４との関係を説明すると、枕本体１と補助枕本体４との境目１４と、枕本体１の後端１５との高さを、境目１４＞後端１５として、頭部Ｈ１の凹部２へのセットの容易化、又は頭の安定設置と、ズレ止めが図れること、また首Ｈ２及ビ／又は頸椎Ｈ３に対する刺激等が図れること、等の実益がある。また枕本体１の中央より両側端１０、１１に向かって緩やかに傾斜する構成として、枕からの転がり緩和、載り上がりの容易化等に役立つ実益がある。また枕本体１及ビ補助枕本体４は、布地５で被覆されている。尚、図５は布地５０に、パンヤ、綿、スポンジブロック、スポンジ片、その他軟質性充填材等の軟質性充填材、へちま綿その他の植物性綿、へちまチップ、その他の植物性チップ等でなる植物性充填材、又はチップ、小片、細片等でなる樹脂製パイプの硬質性充填材、等の各種の充填材６を詰めることで、前記枕本体１及ビ補助枕本体４の形状を確保した枕であり、前述の例と、略同様に考えられること、又はこの充填材６を利用して、刺激・指圧等の効果と、涼風感覚、眠りを誘う質感、音等を確保できること、等の実益を有する。そして、布地５、５０の側端１０、１１に、ファスナー、ホック等で開閉自在の開閉部７を形成し、前記枕本体１及ビ／又は補助枕本体４等の形状、高さ、硬軟等を確保する。
【００２１】
【発明の効果】
請求項１は、中心に楕円形の凹部を有し、この凹部から外方に向って順次せり上る周辺部を有する枕本体と、この枕本体に設けた外縁に向って傾斜する首当部を有する補助枕本体とで構成する表面を布地で被った枕であって、前記枕本体の凹部と周辺部との境目近傍に対の空気孔を形成し、この対の空気孔が人の耳近傍に位置する構成とし、かつ前記枕本体と補助枕本体との境目と、この枕本体の後端との高さを、境目＞後端として、頭部を、前記凹部へのセットの容易化、又は頭の安定設置と、ズレ止めが図れることを特徴とした枕である。従って、老化に伴う椎間板の後部突出を、痛みを緩和しながら頸椎を自然の状態に戻す（矯正）に役立つこと、又は前記の矯正を、枕を利用して、簡便に行えること、また前記矯正用の枕として、使用が便利で、かつ低コストに提供できること、等の特徴がある。
【００２２】
請求項２は、中心に楕円形の凹部を有し、この凹部から外方に向って順次せり上る周辺部を有する枕本体と、この枕本体に設けた外縁に向って傾斜する首当部を有する補助枕本体とで構成する表面を布地で被った枕であって、前記枕本体の凹部と周辺部との境目近傍に対の空気孔を形成し、この対の空気孔が人の耳近傍に位置し、また前記布地の周辺の適所に開閉部を設ける構成とし、かつ前記枕本体と補助枕本体との境目と、この枕本体の後端との高さを、境目＞後端として、頭部を、前記凹部へのセットの容易化、又は頭の安定設置と、ズレ止めが図れることを特徴とした枕である。従って、請求項１の発明の目的の他に、枕の高低差等による頭部の不安定載置に起因する弊害、例えば、頸椎の後部への圧迫による血行不良、就寝中の不自然な状態における人体に与える悪影響等を回避できる特徴がある。
【００２３】
【００２４】
請求項４の発明は、上記の枕本体の長手方向の両側端から上記の凹部に向かって順次低く構成した請求項１、請求項２の枕である。従って、枕本体に設けた凹部に向かって外周縁部を窪ませる形状として、頭の安定設置と、ズレ止めが図れる特徴がある。
【図面の簡単な説明】
【図１】本発明の全体を示す一部欠截の斜視図である。
【図２】図１の側面図である。
【図３】図１のＡ平面図である。
【図４】図１のＡ−Ａ断面図である。
【図５】本発明の全体を示す一部欠截の斜視図である。
【図６】本発明の使用状態を示す側面模式図である。
【図７】本発明の使用状態を示す平面模式図である。
【符号の説明】
１  枕本体
１０  側端
１１  側端
１２  開口
１３  空気孔
１４  境目
１５  後端
２  凹部
３  周辺部
４  補助枕本体
４０  首当部
５  布地
５０  布地
６  充填材
７  開閉部
Ｈ  人
Ｈ１  頭部
Ｈ２  首
Ｈ３  頸椎
【図１】
0004345949.tif 000002
【図２】
0004345949.tif 000003
【図３】
0004345949.tif 000004
【図４】
0004345949.tif 000005
【図５】
0004345949.tif 000006
【図６】
0004345949.tif 000007
【図７】
0004345949.tif 000008